(57)【要約】本発明は、骨伝導機能のスピーカーを内蔵し、人体の顔面マッサージの際、顔面皮膚の表面振動を用いた骨伝導方式の音伝達によって多様な音の聴取もできるようにする骨伝導機能を有するマッサージ器を提供する。  本発明による骨伝導機能を有するマッサージ器は、マッサージ器の外形をなすケースと、前記ケースの人体皮膚と接触するマッサージ部の周辺に隣接して設置される骨伝導スピーカーと、前記骨伝導スピーカーを通じて出力するための音ファイルの再生部と、前記音ファイルが貯蔵されるメモリ部と、前記メモリ部に音ファイルを貯蔵するとか前記メモリ部に貯蔵された音ファイルを検出して当該の情報を前記骨伝導スピーカーに出力する制御部とを含んでなる。
2015501161.tif 000002
【特許請求の範囲】
【請求項１】
マッサージ器の外形をなすケースと、
前記ケースの人体皮膚と接触するマッサージ部の 周辺に隣接して設置される骨伝導スピーカーと、
前記骨伝導スピーカーを通じて出力するための音ファイルの再生部とを
含むことを特徴とする、骨伝導機能を有するマッサージ器。
【請求項２】
前記骨伝導スピーカーは、前記ケースの内側に固定設置されるＰＣＢ（Ｐｒｉｎｔｅｄ Ｃｉｒｃｕｉｔ Ｂｏａｒｄ）に設置されることを特徴とする、請求項１に記載の骨伝導機能を有するマッサージ器。
【請求項３】
前記音ファイルが貯蔵されるメモリ部と、
前記メモリ部に音ファイルを貯蔵させ、又は 前記メモリ部に貯蔵された音ファイルを検出して当該の情報を前記骨伝導スピーカーに出力する制御部と
をさらに含むことを特徴とする、請求項１に記載の骨伝導機能を有するマッサージ器。
【請求項４】
前記ケースの内側に外部メモリ挿入用スロットを有する形態として設置され、外部メモリの電気的接続及び機械的支持の機能をする外部メモリ接続部をさらに含むことを特徴とする、請求項１に記載の骨伝導機能を有するマッサージ器。
【請求項５】
前記外部メモリ接続部に接続された外部メモリの音ファイルを検出し、当該の情報を前記骨伝導スピーカーに出力する制御部をさらに含むことを特徴とする、請求項４に記載の骨伝導機能を有するマッサージ器。
【発明の詳細な説明】
【技術分野】
【０００１】
本発明は骨伝導機能を有するマッサージ器に係り、特に骨伝導機能のスピーカーを内蔵し、人体の顔面マッサージの際、顔面皮膚の表面振動を利用した骨伝導方式の音伝達によって多様な音の聴取も可能にする骨伝導機能を有するマッサージ器に関するものである。
【背景技術】
【０００２】
一般に、人が音を聞ける方法は空気伝導（Ａｉｒ Ｃｏｎｄｕｃｔｉｏｎ）方式と骨伝導（Ｂｏｎｅ Ｃｏｎｄｕｃｔｉｏｎ）方式とに大別される。
【０００３】
空気伝導方式は、音が鼓膜を通じて内耳（Ｉｎｎｅｒ ｅａｒ）に伝達される方式であり、通常空気を通じて伝達される音の振動は耳中の鼓膜に伝達され、前記鼓膜中の三つの骨を介して蝸牛管に伝達される。そして、蝸牛管にはリンパ液という液体が満たされており、この液体の振動が所定信号として聴覚神経に伝達されることにより、人の脳は音を認識することになる。
【０００４】
また、骨伝導方式は、頭蓋骨（Ｃｒａｎｉａｌ）を介して音が蝸牛管に伝達され、聴覚神経を介して脳に伝達されるもので、音認識メカニズムにおいて振動が鼓膜と鼓膜内に位置する三つの骨を経由する過程を省略したものである。すなわち、耳周辺の皮膚表面に加わる音響振動が頭蓋骨を介して直接蝸牛管に伝達されることにより、鼓膜や耳小骨に異常がある難聴者であっても、蝸牛管や聴覚神経が正常であれば皮膚を介しての骨伝導によってはっきりと音を聞くことができる。
【０００５】
そして、このような骨伝導原理による骨伝導スピーカーが開発されて使用されている。骨伝導スピーカーは通常骨伝導振動子（Ｂｏｎｅ Ｃｏｎｄｕｃｔｉｏｎ Ｔｒａｎｓｄｕｃｅｒ）を含むもので、骨伝導振動子は電気的な信号を振動の信号に変える変換器を言う。
【０００６】
一方、近年には皮膚マッサージのための小型のマッサージ器が提供されている。このような小型マッサージ器は通常その振動によってマッサージの機能をし、またエッセンスなどの化粧品が人体の皮膚にうまく吸収されるようにする機能をする。
【０００７】
しかし、このような従来の小型マッサージ器は、マッサージ機能の外には何の機能も提供することができなく、特に使用者はマッサージ器の使用過程でその機能を最大に活用するとともにそれによって最適のマッサージ作用を得るために通常横になるとか座った状態でじっとしていることになる。これにより、使用者はマッサージ過程で退屈さを感じることになり、これはマッサージ器の使用を避けることになる要因となる。言い換えれば、所定の費用をかけて購入したマッサージ器をよく使わなくなる要因となる。
【発明の概要】
【発明が解決しようとする課題】
【０００８】
したがって、本発明は前記のような問題点を解決するためになされたもので、骨伝導機能のスピーカーを内蔵し、人体の顔面マッサージの際、同時に音楽感想が可能な骨伝導機能を有するマッサージ器の提供にその目的がある。
【課題を解決するための手段】
【０００９】
前記のような目的を達成するために、本発明による骨伝導機能を有するマッサージ器は、マッサージ器の外形をなすケースと、前記ケースの人体皮膚と接触するマッサージ部の周辺に隣接して設置される骨伝導スピーカーと、前記骨伝導スピーカーを通じて出力するための音ファイルの再生部とを含んで構成される。
【００１０】
また、前記骨伝導スピーカーは、前記ケースの内側に固定設置されるＰＣＢ（Ｐｒｉｎｔｅｄ Ｃｉｒｃｕｉｔ Ｂｏａｒｄ）に設置されることを特徴とする。
【００１１】
また、本発明による骨伝導機能を有するマッサージ器は、前記音ファイルが貯蔵されるメモリ部と、前記メモリ部に音ファイルを貯蔵させ、又は前記メモリ部に貯蔵された音ファイルを検出して当該の情報を前記骨伝導スピーカーに出力する制御部とをさらに含むことを特徴とする。
【００１２】
また、本発明による骨伝導機能を有するマッサージ器は、前記ケースの内側に外部メモリ挿入用スロットを形成した状態で設置され、外部メモリの電気的接続及び機械的支持の機能をする外部メモリ接続部をさらに含むことを特徴とする。ここで、前記外部メモリ接続部に接続された外部メモリの音ファイルを検出し、当該の情報を前記骨伝導スピーカーに出力する制御部をさらに含むことができる。
【発明の効果】
【００１３】
本発明によると、使用者がマッサージ器で顔面皮膚をマッサージする過程で骨振動方式の音伝達によって多様な音楽を同時に聴取することができ、これにより、顔面マッサージの際、同時出力される音楽によりマッサージ器の本来の振動感とは、異なった振動感を感じられるようになり、もっと力動的で生動的にマッサージを受ける効果を得ることができる。
【図面の簡単な説明】
【００１４】
【図１】本発明の一実施例による骨伝導機能を有するマッサージ器の斜視図である。
【図２】本発明の一実施例による骨伝導機能を有するマッサージ器の断面図である。
【図３】本発明の一実施例による骨伝導機能を有するマッサージ器の構成において骨伝導スピーカーの構成を示した断面図である。
【図４】本発明の一実施例による骨伝導機能を有するマッサージ器の構成を示したブロック図である。
【発明を実施するための形態】
【００１５】
以下、添付図面に基づいて本発明の一実施例による骨伝導機能を有するマッサージ器を詳細に説明する。
【００１６】
図１は本発明の一実施例による骨伝導機能を有するマッサージ器の斜視図であり、図２は本発明の一実施例による骨伝導機能を有するマッサージ器の断面図である。そして、図３は本発明の一実施例による骨伝導機能を有するマッサージ器の構成において骨伝導スピーカーの構成を示した断面図であり、図４は本発明の一実施例による骨伝導機能を有するマッサージ器の構成を示したブロック図である。
【００１７】
図示のように、本発明の一実施例による骨伝導機能を有するマッサージ器１００（以下“マッサージ器”という）は、ケース１１０、骨伝導スピーカー１３０、及び音ファイルの再生部１５０を含んでなる。また、本発明の一実施例によるマッサージ器１００は、メモリ部１６０、制御部１７０、外部メモリ接続部１８０、電源供給部１９０、及び電源表示ランプ１９５をさらに含んでなることができる。そして、本発明の一実施例によるマッサージ器１００は、高輝度ＬＥＤ１２０を含むイオンマッサージ器を例としたが、本発明がこれに限定されるものではなく、人体の顔面をマッサージするすべての種類のマッサージ器を含むものであることを明かしておく。
【００１８】
ケース１１０はマッサージ器１００の外形をなすもので、皮膚に接触してマッサージ機能をするイオンヘッド１１１及びこのようなイオンヘッド１１１が装着される胴体１１２に大別される。
【００１９】
イオンヘッド１１１には、遠赤外線照射窓１１１ａが形成され、イオンヘッド１１１の内側に高輝度ＬＥＤ１２０が設置され、このような高輝度ＬＥＤ１２０から遠赤外線が放出され、遠赤外線照射窓１１１ａを通じてマッサージ器１００の外部に照射される。これにより、イオンヘッド１１１が人体の顔面皮膚に接触するとき、遠赤外線照射窓１１１ａから遠赤外線が排出されて人体の顔面皮膚に照射され、これは顔面皮膚の毛穴が充分に開かれるようにする作用をする。そして、このように拡張された顔面皮膚の毛穴を通じて化粧品の水分及び営養分が非常になだらかに吸収されてマッサージ機能が極大化する。
【００２０】
そして、高輝度ＬＥＤ１２０への電源供給は、胴体１１２内に装着されるバッテリーによってなされる。また、胴体１１２の内側にはコントロールＰＣＢ１４０が設置され、バッテリーの電源がこのコントロールＰＣＢ１４０を介して高輝度ＬＥＤ１２０に伝達される。
【００２１】
骨伝導スピーカー１３０はケース１１０の内側に設置されるもので、人体の顔面皮膚に直接接するマッサージ部の周辺に隣接して設置される。この実施例を基準とすれば、骨伝導スピーカー１３０はイオンヘッド１１１内側の高輝度ＬＥＤ１２０の周辺に隣接して設置され、また骨伝導スピーカー１３０はイオンヘッド１１１に固定設置されるＰＣＢ（Ｐｒｉｎｔｅｄ Ｃｉｒｃｕｉｔ Ｂｏａｒｄ）に設置される。ここで、この実施例においては、骨伝導スピーカー１３０が高輝度ＬＥＤ１２０を実装しているコントロールＰＣＢ１４０に一緒に実装されるものを例としたが、本発明がこれに限定されるものではなく、骨伝導スピーカー１３０がコントロールＰＣＢ１４０と区分される別途のＰＣＢに設置される形態であることができる。
【００２２】
このような骨伝導スピーカー１３０は、図３に示したように、外部の電源供給源から電極端子板１３１に電流が印加され、ついで電極端子板１３１を介してコイルに沿ってボイスコイル１３２に電流が供給されれば、ボイスコイル１３２は音声信号電気エネルギーから磁界の変化を誘導する。すなわち、ボイスコイル１３２に電流が印加されれば、上部板１３３、磁石１３４及びヨーク１３５からなった磁気回路の間隔内に位置するボイスコイル１３２との間で磁場が発生しながらフレミングの左手の法則が成立される。
【００２３】
すると、ボイスコイル１３２が固定された状態で、ボイスコイル１３２、上部板１３３、磁石１３４、及びヨーク１３５の間に形成される磁場が互いに引力及び斥力を作用し、これにより一体に結合された磁気回路である上部板１３３、磁石１３４、及びヨーク１３５が上下に振動する。この際、ヨーク１３５の上端に設置されたダンパー１３６によって磁気回路の自由振動を抑制して一定した上下振動を維持させるようになる。そして、このような振動は固定リベット１３７の最上部である乳様突起部１３８を介して、乳様突起部１３８が接触していたイオンヘッド１１１に伝達されるとともに、イオンヘッド１１１が接触した人体の顔面皮膚に伝達される。その結果、骨伝導音響振動の聴取のための振動力が得られる。
【００２４】
すなわち、ボイスコイル１３２をベース板１３９に固定させ、ヨーク１３５、磁石１３４及び上部板１３３で上下振動可能な磁気回路を構成し、これとともに固定させる固定リベット１３７の最上部に外部に音響振動を伝達するための乳様突起部１３８を設けることで、人の頭蓋骨を形成している頭骨を顔面皮膚の表面を介して直接振動させ、骨伝導によって聴覚神経を刺激して音響を聴取することができるようにする。
【００２５】
再生部１５０は、骨伝導スピーカー１３０を通じて出力するための音ファイルを再生させる機能をする。この実施例においては、このような再生部１５０がＭＰ３ファイルを再生するＭＰ３プレーヤーであるものを例としたが、本発明がこれに限定されるものではなく、再生部１５０は、入力された音ファイル、言い換えれば歌ファイルや小説内容を音声として出力する小説ファイルなどを再生する条件を満足する範囲内で多様に変形実施可能である。
【００２６】
メモリ部１６０は再生部１５０によって再生するための歌ファイル、音楽ファイル、小説ファイルなどが貯蔵される。ここで、メモリ部１５０はコントロールＰＣＢ１４０に実装される形態であることができ、これとは異なり、外部メモリ２００の形態であることができる。そして、このように外部メモリ２００が使用される場合には、胴体１１２の下部に外部メモリ２００挿入用スロット１１２ａが形成され、このようなスロット１１２ａの内周縁に外部メモリ接続部１８０が設置される。これにより、スロット１１２ａにＳＤカードなどの外部メモリ２００を挿入してコントロールＰＣＢ１４０と電気的に接続させるとともに胴体１１２を機械的に支持するようにする。また、外部メモリ接続部１８０はスマートフォンやその他の小型の携帯型電子機器に適用されている外部メモリ接続用コネクターの構成であると、思えればよい。
【００２７】
制御部１７０は、メモリ部１６０に貯蔵された音ファイルを検出し、検出された音ファイルの当該情報を骨伝導スピーカー１３０に出力する。
【００２８】
電源供給部１９０はマッサージ器１００の全体に電源を供給する機能をする。すなわち、電源供給部１９０は、高輝度ＬＥＤ１２０、制御部１７０、骨伝導スピーカー１３０、再生部１５０などのマッサージ器１００の電源を要する構成に電源を供給する機能をする。そして、このような電源供給部１９０はバッテリー及び電源回路を含む形態に構成される。
【００２９】
電源表示ランプ１９５は、マッサージ器１００の電源がオン状態であるかどうかを外部で視覚的に確認することができるようにする用途である。図面符号１９５ａは胴体１１２に備えられる電源ランプ表示窓を示したものである。
【００３０】
前記のような構成により、使用者はマッサージ器１００の高輝度ＬＥＤ１２０を使用して顔面皮膚をマッサージし、この過程で骨伝導スピーカー１３０を通じて出力される歌ファイルや小説ファイルを聴取しながらマッサージを受けることができる。また、骨伝導スピーカー１３０の特性上、出力される音によってマッサージ器１００の振動感が違うように感じられるので、事前に設定した強度で一定に振動することに比べ、より生動的で力動的にマッサージを受ける作用を得ることができる。
【００３１】
以上説明したのは本発明による骨伝導機能を有するマッサージ器を実施するための一実施例に過ぎないもので、本発明は前述した実施例に限定されず、以下の請求範囲で請求するような本発明の要旨を逸脱することなしに当該発明が属する分野で通常の知識を持った者であれば誰でも多様な変更実施が可能な範囲まで本発明の技術的精神があると言える。
【符号の説明】
【００３２】
１００    マッサージ器
１１０    ケース
１１１    イオンヘッド
１１１ａ    遠赤外線照射窓
１１２    胴体
１１２ａ    スロット
１２０    高輝度ＬＥＤ
１３０    骨伝導スピーカー
１３１    電極端子板
１３２    ボイスコイル
１３３    上部板
１３４    磁石
１３５    ヨーク
１３６    ダンパー
１３７    固定リベット
１３８    乳様突起部
１３９    ベース板
１４０    コントロールＰＣＢ
１５０    再生部
１６０    メモリ部
１７０    制御部
１８０    外部メモリ接続部
１９０    電源供給部
１９５    電源表示ランプ
１９５ａ    電源表示窓
２００    外部メモリ
【図４】
2015501161.tif 000003
【図１】
2015501161.tif 000004
【図２】
2015501161.tif 000005
【図３】
2015501161.tif 000006
【国際調査報告】
2015501161.tif 000007
2015501161.tif 000008
2015501161.tif 000009
2015501161.tif 000010